(57)【要約】【課題】基板を構成する部品点数が増えても、短時間でかつ容易に台座にセットすることができること。【解決手段】蓋体の内壁面に設けられた複数の第１係止リブに、開口部を有すると共に一側面にアンテナを有する穴あきアンテナ基板を係着させる第１係着工程と、次に、蓋体の第１係止リブよりも内側の位置に設けられ、かつ開口部に入り込む複数の第２係止リブに、電子部品を実装した装置本体基板を、穴あきアンテナ基板と面一状あるいは積層状あるいはまた並列状になるように係着させる第２係着工程と、この第２係着工程及び前記第１係着工程で出来上ったアンテナ蓋体をリード線用の通孔を有する取付けベース板に取外し可能に嵌着する嵌着工程とから成る錠前用台座の組付け方法。【選択図】図１０
2011111867.tif 000002
【特許請求の範囲】
【請求項１】
蓋体の内壁面に設けられた複数の第１係止リブに、開口部を有すると共に一側面にアンテナを有する穴あきアンテナ基板を係着させる第１係着工程と、次に、前記蓋体の第１係止リブよりも内側の位置に設けられ、かつ前記開口部に入り込む複数の第２係止リブに、電子部品を実装した装置本体基板を、前記穴あきアンテナ基板と面一状あるいは積層状あるいはまた並列状になるように係着させる第２係着工程と、この第２係着工程及び前記第１係着工程で出来上ったアンテナ蓋体をリード線用の通孔を有する取付けベース板に取外し可能に嵌着する嵌着工程とから成る錠前用台座の組付け方法。
【請求項２】
請求項１に於いて、開口部は、装置本体基板の上面から突出する電子部品の一部又は全部が入り込む大きさに形成されていることを特徴とする錠前用台座の組付け方法。
【請求項３】
請求項１に於いて、蓋体の両端部には、短筒状螺合部が形成され、一方、前記短筒状螺合部に対応する取付けベース板の両端部には固着具用のベース板貫通孔が形成され、嵌着工程には、前記固着具を取付けベース板の裏側から前記ベース板貫通孔を介して差込みかつ該固着具を前記短筒状螺合部に螺合させるアンテナ蓋体固着工程が含まれていることを特徴とする錠前用台座の組付け方法。
【請求項４】
蓋体２１Ｂの内壁面に設けられた複数の第１係止リブ２４、２４に、一側面にアンテナを有する穴あきアンテナ基板３１を係着させる第１係着工程と、次に、蓋体２１Ｂの前記第１係止リブ２４、２４よりも突出するように該蓋体の内壁面に設けられた複数の第２係止リブ２５Ｂ、２５Ｂに、電子部品を実装した装置本体基板４１Ｂを、前記穴あきアンテナ基板３１と積層状あるいは並列状になるように係着させる第２係着工程と、この第２係着工程及び前記第１係着工程で出来上ったアンテナ蓋体６Ｂをリード線用の通孔１３を有する取付けベース板３に取外し可能に嵌着する嵌着工程とから成る錠前用台座の組付け方法。
【発明の詳細な説明】
【技術分野】
【０００１】
本発明は、錠前用台座の組付け方法に関し、特に、通信機能を有する錠前用台座の組付け方法に関する。
【背景技術】
【０００２】
特許文献１には、情報送信手段（例えば非接触ＩＣカード）から送信された信号をキャッチすることができる「基板型の読み書き装置」が記載されている。この読み書き装置は、例えば信号を送受信する読み書き装置本体、アンテナを有するアンテナ基板、電源装置、電子表示部、振動装置等を有している。そして、前記アンテナ基板は、アンテナ、共振回路、読み書き装置本体と接続する接続端子を有している。
【０００３】
従来、このような基板型の読み書き装置を錠前用台座内に組み込む場合、普通一般に、読み書き装置を構成する基板の両端部の中央部に取付け孔を形成し、一方、台座を構成する取付けベース板内に所定間隔を有して相対向する上下一対の固着具用のＬ型支持片を設け、このＬ型支持片の突片部分の貫通小孔と前記読み書き装置の基板両端部の取付け孔とを合わせながら、前記固着具でもって、読み書き装置の基板を、Ｌ型支持片を介して取付けベース板内に固着していた。
【０００４】
従来の錠前用台座の組付け方法の問題点は、次のとおりである。すなわち、（ａ）読み書き装置を錠前用台座に組付ける際、複数個の固着具を用いるので、面倒である。つまり、台座に対する基板のセットが容易でない。（ｂ）読み書き装置を、部品の製造の効率性、部品交換の容易性等の観点から、例えば穴あきアンテナ基板と、電子部品を実装した装置本体基板に二分割した場合には、構成する部品点数が増えるので、台座に対する組み込み時間が多くなる。（ｃ）普通一般に、読み書き装置を構成するアンテナ基板のアンテナは、導電性材料をスパイラル状に周回させたアンテナコイルを用いているので、アンテナ基板の両端部に複数個の取付け孔を形成すると、アンテナ基板の外形寸法やデザイン上の制約を受ける。
【先行技術文献】
【特許文献】
【０００５】
【特許文献１】特開２００８−２８８８４５号公報
【発明の概要】
【発明が解決しようとする課題】
【０００６】
本発明の所期の目的は、従来の錠前用台座の組付け方法の問題点、特に、（ａ）と（ｂ）の問題点を改善し、基板を構成する部品点数が増えても、短時間でかつ容易に台座にセットすることができる錠前用台座の組付け方法を提案することである。また同時に、アンテナ基板の外形寸法やデザイン上の制約を受けることがないようにすることである。さらに、アンテナ基板並びに装置本体基板を蓋体の裏側に取り付けることによって、取付けベース板の裏側から蓋体の外壁面までの厚さ（台座の厚さ）を極力薄くすることができることである。加えて、メンテナンス性に優れていることである。
【課題を解決するための手段】
【０００７】
本発明の錠前用台座の組付け方法は、蓋体の内壁面に設けられた複数の第１係止リブに、開口部を有すると共に一側面にアンテナを有する穴あきアンテナ基板を係着させる第１係着工程と、次に、前記蓋体の第１係止リブよりも内側の位置に設けられ、かつ前記開口部に入り込む複数の第２係止リブに、電子部品を実装した装置本体基板を、前記穴あきアンテナ基板と面一状あるいは積層状あるいはまた並列状になるように係着させる第２係着工程と、この第２係着工程及び前記第１係着工程で出来上ったアンテナ蓋体をリード線用の通孔を有する取付けベース板に取外し可能に嵌着する嵌着工程とから成ることを特徴とする。
【０００８】
また、本発明の錠前用台座の組付け方法は、蓋体２１Ｂの内壁面に設けられた複数の第１係止リブ２４、２４に、一側面にアンテナを有する穴あきアンテナ基板３１を係着させる第１係着工程と、次に、蓋体２１Ｂの前記第１係止リブ２４、２４よりも突出するように該蓋体の内壁面に設けられた複数の第２係止リブ２５Ｂ、２５Ｂに、電子部品を実装した装置本体基板４１Ｂを、前記穴あきアンテナ基板３１と積層状あるいは並列状になるように係着させる第２係着工程と、この第２係着工程及び前記第１係着工程で出来上ったアンテナ蓋体６Ｂをリード線用の通孔１３を有する取付けベース板３に取外し可能に嵌着する嵌着工程とから成ることを特徴とする。
【０００９】
ここで、「装置本体基板」とは、例えばアンテナ以外の通信手段、振動手段、スイッチ、ＩＣ、電気回路等が適宜に設けられている穴あきアンテナ基板と別個に成形された基板のことをいう。
【発明の効果】
【００１０】
（１）従来の錠前用台座の組付け方法の問題点、特に、（ａ）と（ｂ）の問題点を改善し、基板を構成する部品点数が増えても、短時間でかつ容易に台座にセットすることができる。また同時に、アンテナ基板の外形寸法やデザイン上の制約を受けることがないようにすることができる。さらに、アンテナ蓋体は、リード線用の通孔を有する取付けベース板に取外し可能に嵌着するので、実施例によっては、アンテナ蓋体やリード線用を取付けベース板や装置本体基板から分離して、交換、修理等を容易にすることができる。加えて、取付けベース板の裏側から蓋体の外壁面までの厚さ（台座全体）を極力薄くすることができる。
（２）請求項２に記載の発明は、特に、蓋体の厚さを極力薄くすることができる。
（３）請求項３に記載の発明は、固着具を取付けベース板の裏側か取り外さないと、アンテナ蓋体を取付けベース板から外すことができないので、錠前用台座を扉の外壁面に設置した場合には、防犯効果を発揮する。
【図面の簡単な説明】
【００１１】
図１乃至図１０は本発明の第１実施例を示す各説明図。図１１乃至図１３は本発明の装置本体基板の第２実施例を示す各説明図。図１４乃至図１６は本発明のアンテナ蓋体の第２実施例を示す各説明図。
【図１】錠前用台座Ｘの設置環境の一例を示す概略説明図（扉外壁側）。
【図２】錠前用台座Ｘの設置環境を示す概略説明図（扉の自由端部側）。
【図３】錠前用台座Ｘの一例を示す概略断面説明図（組み付け完了状態）。
【図４】各部材を組み合わせる前の錠前用台座Ｘの概略説明図。
【図５】アンテナ蓋体６の構成を示す分解斜視図。
【図６】穴あきアンテナ基板３の正面図。
【図７】穴あきアンテナ基板３の右側面図。
【図８】装置本体基板４１の正面図。
【図９】装置本体基板４１の右側面図。
【図１０】本発明の錠前用座板の組付け方法を示す工程図。
【図１１】第２実施例の装置本体基板４１Ａを裏側から見た斜視図。
【図１２】装置本体基板４１Ａの縦断面概略説明図。
【図１３】装置本体基板４１Ａを用いた嵌着工程の説明図。
【図１４】第２実施例の錠前用台座Ｘ２を示す概略断面説明図（組み付け完了状態）。
【図１５】第２実施例のアンテナ蓋体６Ｂの各部材を組み合わせる前の錠前用台座の概略説明図。
【図１６】第２実施例のアンテナ蓋体６Ｂの構成を示す分解斜視図。
【発明を実施するための形態】
【００１２】
以下、図１乃至図１０に示す本発明を実施するための最良の形態第1実施例により説明する。まず、図１及び図２は、錠前用台座Ｘの設置環境の一例を示す概略説明図である。図１及び図２に於いて、１は扉、１ａは扉外壁、２はカード式、或いは携帯型の情報送信手段、３は前記扉外壁１ａに垂直状態に固定され、かつ前記情報送信手段２から情報を受け取ることが可能な通信型の錠前用台座Ｘの取付けベース板、４は取付けベース板３の中央部に取付けられたレバー式操作ハンドル、そして、６は前記操作ハンドル４を基準として前記取付けベース板３の一端部（例えば上端部）側３ａに上下方向に、かつ該取付けベース板３の縦長凹所５に固定的に嵌着したアンテナ蓋体である。
【００１３】
このアンテナ蓋体６は、扉外壁１ａに直接取り付けても良いし、また、本実施例のように錠前用台座Ｘを構成する取付けベース板３に取り付けても良い。したがって、錠前用台座Ｘは、取付けベース板３を介して、または介さないで、扉１の扉外壁１ａに上下方向に固定される。図面で示した取付けベース板３を介さない場合には、扉１の扉外壁１ａ自体が取付けベース板となる。
【００１４】
なお、符号７は錠前を構成するデッドボルト、８はラッチである。錠前用台座Ｘの細部的事項や錠前の具体的構成については割愛する。
【００１５】
次に、図３及び図４は、本実施例の錠前用台座Ｘの一例を示す。図３は、錠前用台座Ｘを構成する各部材を組み合わせた状態、一方、図４は、各部材を組み合わせる前の錠前用台座Ｘを示す。図３及び図４に於いて、前述したように、３は取付けベース板、３ａはその上端部側である。扉１の扉外壁１ａには、単数又は複数の柱状固定具１０用の不番挿通孔が形成されている。したがって、取付けベース板３の縦長凹所５の内壁底面５ａにも前記固定具１０の挿入先端部が係合する単数又は複数の貫通孔１１が形成されている。
【００１６】
また、扉１の扉外壁１ａには、リード線１２を通すための不番案内孔が形成されている。したがって、取付けベース板３の縦長凹所５の内壁底面５ａにも前記リード線１２を通すためのリード線用通孔１３が形成されている。取付けベース板３は、長尺状の板体で、扉１の図示しない扉内壁から柱状固定具１０を緩めることによって、該固定具１０と共に扉１の扉外壁１ａから取り外すことができる。付言すると、扉内壁から柱状の固定具１０を緩めると、錠前用台座Ｘそのものを扉外壁１ａから外すことができる。
【００１７】
さて、錠前用台座Ｘの基本的構成は、扉外壁１ａに垂直方向に固定され得る取付けベース板３と、この取付けベース板３の縦長凹所５をカバーするように該取付けベース板３の一端部側３ａに複数個の固着具１５、ベース板貫通孔１６、１６、後述の蓋体ネジ柱２３、２３を介して取り外し可能に嵌着するアンテナ蓋体６とから成り、前記アンテナ蓋体６は、内部空間２２が浅いケース状の蓋体２１と、この蓋体２１の内壁面２１ａに形成された複数個の係止リブ２４、２４、２５、２５を介して、前記内壁面２１ａに対して対向する穴あきアンテナ基板３１及び装置本体基板４１とから成る。
【００１８】
しかして、組み付け前の図４を参照にすると、アンテナ蓋体６を構成する蓋体２１は、左右（設置状態では上下）の両端部の内側に、一対の蓋体ネジ柱２３、２３が、蓋体２１の周端２１ｂから若干突出するように形成されている。前記蓋体ネジ柱２３、２３は、本実施例では、短筒状螺合部（メネジ部）であり、この短筒状螺合部２３、２３の長さ、例えば蓋体２１の内壁面２１ａからの長さ、或いは蓋体２１の周端２１ｂからの突出量Ｌ１を短くすることによって、錠前用台座Ｘの厚さを薄くすることができる。本実施例では、説明の便宜上、取付けベース板３の縦長凹所５の内壁底面５ａと蓋体２１の複数個の係止リブ２４、２４、２５、２５の先端との間に間隙２６を設けているが、設計如何によっては、該間隙２６を設ける必要はない。
【００１９】
次に、図５は、アンテナ蓋体６の構成を示す分解斜視図、図６及び図７は穴あきアンテナ基板３１、図８及び図９は装置本体基板４１を示す。例えば図５で示すように、蓋体２１は、上下一対の短筒状螺合部２３、２３の直ぐ内側に、上下で一組の第１係止リブ（外側係止リブ）２４、２４を有している。
【００２０】
本実施例では、これらの第１係止リブ２４、２４は、蓋体２１の内壁面２１ａから突出するが、望ましくは、短筒状螺合部２３、２３の先端面よりも内側に位置するように突出している。第１係止リブ２４、２４は、その基端部に連設する突出先端部に、内側に若干に延びる爪部を有している。そして、第１係止リブ２４、２４の少なくとも一方の爪部には傾斜面が形成され、また、少なくとも一方は、材質自体により弾性変位、弾性復帰可能である（可撓性を有する）。もちろん、第１係止リブ２４、２４の両方が、可撓性を有していても良い。
【００２１】
組み付け手段として、複数個の固着具ではなく、可撓性を有する第１係止リブ２４、２４に穴あきアンテナ基板３１を係着させることにより、穴あきアンテナ基板３１の取り付け（セット）が容易となり、また、穴あきアンテナ基板３１の外形そのものを大きくすることが可能となっている。
【００２２】
また、蓋体２１の適宜個所、例えば隅部には、ランプの点灯・点滅の状態を視認することができるように小透孔、小透明部分等の視覚用表示部２７が形成されている。その他、蓋体２１の適宜個所に切欠を形成し、或いは一部を透明にすることもできる。
【００２３】
本実施例では、穴あきアンテナ基板３１と装置本体基板４１は、それぞれ別個・独立に成形並びに組み付けされるので、一対の第１係止リブ２４、２４を基準として、これらの第１係止リブ２４、２４よりも内側に複数個（例えば２個）の第２係止リブ（内側係止リブ）２５、２５が対向状態に設けられている。第２係止リブ２５、２５も、第１係止リブ２４、２４と同様に蓋体２１の内壁面２１ａから突出するが、これらの第２係止リブ２５、２５は、前記内壁面２１ａの中央部寄りの部位に設けられている。第２係止リブ２５、２５は、第１係止リブ２４、２４よりも多少長いものの、第１係止リブ２４、２４と同様に短筒状螺合部２３、２３の先端面よりも内側に位置するように突出している。また、第１係止リブ２４、２４と同様に少なくとも一方は、材質自体により弾性変位、弾性復帰可能である（可撓性を有する）。もちろん、第２係止リブ２５、２５の両方が、可撓性を有していても良い。
【００２４】
同様に、組付け手段として、複数個の固着具ではなく、可撓性を有する第２係止リブ２５、２５に、例えば予めリード線１２の基端部１２ａのプラグ１８が接続した、或いはプラグが接続可能な装置本体基板４１を係着させることにより、装置本体基板４１も穴あきアンテナ基板３１と同様に、その取り付け（セット）が容易となり、また、装置本体基板４１の適宜箇所に切欠状の被係合部を形成するとことにより、その外形が開口部３２よりも大きい装置本体基板４１をデザイン設計することができる。
【００２５】
次に、アンテナ蓋体６の構成する穴あきアンテナ基板３１について説明する。図５に穴あきアンテナ基板３１の斜視図を示す。また、図６及び図７は、穴あきアンテナ基板３１の正面図と右側面図である。
【００２６】
本実施例の穴あきアンテナ基板３１の特徴部分は、長板状の穴あきアンテナ基板３１の中央部に、その長手方向に比較的大きい開口部３２を形成した点、周端部の適宜個所、例えば隅角部の一つに突片３３を形成し、この突片３３に照明具（例えばＬＥＤ）３４を装着した点、さらに、開口部３２と周端部との間の環状部分３１ａに周回状態に設けられたアンテナ３５以外の余白部位に突起状の電源装置３６を設けた点である。
【００２７】
ところで、穴あきアンテナ基板３１は、図１で示した情報送信手段（例えば非接触ＩＣカード）から送信された信号をキャッチすることができる。周知のように、「基板型の読み書き装置」は、読み書き装置本体、信号を送受信するアンテナを有するアンテナ基板、電源装置、電子表示部、振動装置等を有している。
【００２８】
そして、前記アンテナ基板は、導電性材料をスパイラル状に周回させたアンテナコイル（アンテナ）、共振回路、読み書き装置本体と接続する接続端子を有している。したがって、細部的事項の説明は割愛するが、本実施例の穴あきアンテナ基板３１及び装置本体基板（読み書き装置本体）４１も、従来の基板型の読み書き装置と同様に、例えば半導体素子を搭載しかつ同じ通信機能を有している。
【００２９】
図８及び図９は、装置本体基板４１の正面図と右側面図である。装置本体基板４１の厚さはアンテナ蓋体６と略同じであるが、アンテナ蓋体６よりも小さい。矩形状の装置本体基板４１は、長手方向の両端部に切欠状の被係合部分４２、４２を有している。これらの被係合部分４２、４２に蓋体２１の第２係止リブ２５、２５が係合可能である。装置本体基板４１の両端部に切欠状の被係合部分４２、４２を形成することにより、該装置本体基板４１の外形形状を大きくすることができる。また、装置本体基板４１は、通信手段４３、振動手段４４等の電子部品や半導体素子を適宜に搭載している。
【００３０】
次に、図１０は、本発明の錠前用座板の組付け方法を示す工程図である。まず、Ａは、蓋体２１の内壁面２１ａに設けられた複数の第１係止リブ２４、２４に、開口部３２を有すると共に一側面にアンテナ３５を有する穴あきアンテナ基板３１を係着させる第１係着工程である。この第１係着工程では、前記複数の第１係止リブ２４、２４の一方又は両方を撓ませることにより、各々相対する爪部に穴あきアンテナ基板３１を係止させることができる。穴あきアンテナ基板３１を第１係止リブ２４、２４に係着させると、穴あきアンテナ基板３１のアンテナ３５は、蓋体２１の内壁面２１ａに対して若干の間隙を有して対向し、又は間隙を有しないで内壁面２１ａに接触状態となる。
【００３１】
次に、Ｂは、蓋体２１の第１係止リブ２４、２４よりも内側の位置に設けられ、かつ穴あきアンテナ基板３１の開口部３２に入り込む複数の第２係止リブ２５、２５に、電子部品を実装した装置本体基板４１を、前記穴あきアンテナ基板３１と面一状あるいは積層状あるいはまた並列状になるように係着させる第２係着工程である。この第２係着工程Ｂにおいても、第１係着工程と同様に、前記複数の第２係止リブ２５、２５の一方又は両方を撓ませることにより、各々相対する爪部に装置本体基板４１を係止させることができる。
【００３２】
本実施例では、装置本体基板４１の電子部品４３、４４の一部又は全部が、穴あきアンテナ基板３１の開口部３２に入り込ように該穴あきアンテナ基板３１の外側側面に積層状に位置付けられる。その結果、一番突出量の大きい振動装置（例えばブザー）４４の上面が、蓋体２１の内壁面２１ａに接触状態となる。これにより、装置本体基板４１から発する振動が蓋体２１に効率的に伝播する。
【００３３】
次に、Ｃは、第２係着工程Ｂ及び前記第１係着工程Ａで出来上ったアンテナ蓋体６をリード線用の通孔１３を有する取付けベース板３に取外し可能に嵌着する嵌着工程である。この嵌着工程Ｃには、リード線の引出し工程Ｃ１と、アンテナ蓋体固着工程Ｃ２がそれぞれ含まれている。
【００３４】
すなわち、前記リード線の引出し工程Ｃ１では、装置本体基板４１には、例えば予めリード線１２の基端部１２ａが結着され、該リード線１２は、嵌着工程Ｃの際、リード線用通孔１３を介して、取付けベース板３の外へと引き出される。また、前記アンテナ蓋体固着工程Ｃ２では、蓋体２１の両端部に短筒状螺合部２３、２３が形成され、一方、前記短筒状螺合部に対応する取付けベース板３の両端部には固着具用のベース板貫通孔１６、１６が形成されているので、前記固着具１５、１５を取付けベース板３の裏側から前記ベース板貫通孔１６、１６を介して差込みかつ該固着具を前記短筒状螺合部に螺合させる。このようにして組付けが完了すると、錠前用台座Ｘが出来上がる。
【００３５】
なお、リード線１２は、予め装置本体基板に接続しなくても良いことは後述する。また、本実施例では、リード線１２は装置本体基板４１に接続することを説明したが、穴あきアンテナ基板３１にも図示しないリード線が適宜に接続され、装置本体基板４１側のリード線１２並びに穴あきアンテナ基板３１の図示しないリード線は、最終的には、図示しない錠前制御システムの制御部と電気的に接続される。
【実施例】
【００３６】
発明の実施の形態で示した実施例に於いて、第２係着工程Ｂでは、蓋体の第１係止リブよりも内側の位置に設けられ、かつ開口部に入り込む複数の第２係止リブに、電子部品を実装した装置本体基板を、穴あきアンテナ基板と面一状あるいは積層状あるいはまた並列状になるように係着させることができる。
【００３７】
また、穴あきアンテナ基板３１の開口部３２は、装置本体基板４１の上面から突出する電子部品の一部又は全部が入り込む大きさに形成されているが、もちろん、開口部３２の形状及び大きさは、任意に設計変更可能である。要は、複数個の第２係止リブ２５、２５が入り込む、又は嵌挿する切欠や開口であれば良い。
【００３８】
次に、本実施例の説明に於いて、リード線１２の基端部１２ａが結着され、該リード線は、嵌着工程Ｃの際、リード線用通孔１３を介して、取付けベース板３の外へと引き出される旨を説明したが、リード線１２は、必ずしも装置本体基板４１には、予め結着されている必要はない。
【００３９】
図１１乃至図１３は、装置本体基板４１Ａに接続端子１７が設けられている（第２実施例）。前記接続端子１７は、例えば取付けベース板３の縦長凹所５の内壁底面５ａに対向する装置本体基板４１Ａの裏面に突起状に設けられた筒状部である。この筒状接続端子１７にリード線１２Ａの基端部１２ａに設けられたプラグ１８を自在に差し込むことができる。
【００４０】
したがって、例えば嵌着工程Ｃに於いて、プラグ１８を装置本体基板４１Ａの接続端子１７に差し込んだ後に、リード線１２Ａを、リード線用通孔１３を介して取付けベース板３の外へと引き出し、然るのちに、アンテナ蓋体固着工程Ｃ２が行われる。付言すると、錠前用台座Ｘを扉外壁１ａに固定する際に、リード線１２Ａの接続、引き出し等が行われる。
【００４１】
なお、本実施例に於いて、固定具１０は、錠前用台座Ｘを扉１の扉外壁１ａに設置する場合に於いて、一旦、取付けベース板３からアンテナ蓋体６を外した後に、貫通孔１１を介して該固定具１０の挿入先端部を貫通孔１１の縁に係止させることにより該取付けベース板３に係止され、また、リード線１２Ａは、錠前用台座Ｘを扉１の扉外壁１ａに設置する際に、基板装置本体４１Ａに接続され（第２実施例）、その後、取付けベース板３にアンテナ蓋体６を複数個の固着具１５を介して固着する。それ故に、本実施例の錠前用台座Ｘは、組み付け時・販売時は、リード線１２Ａや固定具１０は、発明の特定要件ではない。
【００４２】
最後に、図１４乃至図１６を参照にして、第２実施例の錠前用台座Ｘ２を説明する。この第２実施例の錠前用台座Ｘ２は、アンテナ蓋体６Ｂが第１実施例のアンテナ蓋体６と異なる。その相違点を簡単に説明すると、第１実施例のアンテナ蓋体６の装置本体基板４１は、穴あきアンテナ基板３１の開口部３２に入り込む複数の第２係止リブ２５、２５に係止されるのに対して、第２実施例のアンテナ蓋体６Ｂの装置本体基板４１Ｂは、第１係止リブ２４と同様に蓋体２１Ｂの周壁部の内壁面付近に位置しかつ第１係止リブ２４よりも突出する第２係止リブ２５Ｂ、２５Ｂに係止される点、また、装置本体基板４１Ｂの縦又は横幅（本実施例では、横幅が若干広い）が異なる点である。
【００４３】
前記第２係止リブ２５Ｂ、２５Ｂは、上下の第１係止リブ２４、２４に対してそれぞれ併設しても良いが、この第２実施例では、前記上下の第１係止リブ２４、２４に直交するように蓋体２１Ｂの周壁部の左右中央部に対設している。
【００４４】
したがって、この第２実施例の錠前用台座Ｘ２の組付け方法の第２係着工程では、蓋体２１Ｂの第１係止リブ２４、２４よりも突出するように該蓋体の内壁面に設けられた複数の第２係止リブ２５Ｂ、２５Ｂに、電子部品を実装した装置本体基板４１Ｂを、前記穴あきアンテナ基板３１と積層状あるいは並列状（面一状態は除く）になるように係着させる点が、第１実施例と主に異なる。
【００４５】
それ故に、錠前用台座Ｘ２の組付け方法は、蓋体２１Ｂの内壁面に設けられた複数の第１係止リブ２４、２４に、一側面にアンテナを有する穴あきアンテナ基板３１を係着させる第１係着工程と、次に、蓋体２１Ｂの前記第１係止リブ２４、２４よりも突出するように該蓋体の内壁面に設けられた複数の第２係止リブ２５Ｂ、２５Ｂに、電子部品を実装した装置本体基板４１Ｂを、前記穴あきアンテナ基板３１と積層状あるいは並列状になるように係着させる第２係着工程と、この第２係着工程及び前記第１係着工程で出来上ったアンテナ蓋体６Ｂをリード線用の通孔１３を有する取付けベース板３に取外し可能に嵌着する嵌着工程とから成る。このように構成しても、短時間でかつ容易に台座にセットするという本発明の所期の目的を達成することができる。
【産業上の利用可能性】
【００４６】
本発明は、主に錠前や建具の業界で利用される。
【符号の説明】
【００４７】
Ｘ、Ｘ２…錠前用台座、Ａ…第１係着工程、Ｂ…第２係着工程、Ｃ…嵌着工程、Ｃ１…リード線の引出し工程、Ｃ２…アンテナ蓋体固着工程、１…扉、１ａ…扉外壁、２…情報送信手段、３…取付けベース板、４…操作ハンドル、５…縦長凹所、６、６Ｂ…アンテナ蓋体、１０…柱状固定具、１１…貫通孔、１２、１２Ａ…リード線、１３…リード線用通孔、１５…固着具、１６…ベース板貫通孔、１７…接続端子、１８…プラグ、２１、２１Ｂ…蓋体、２１ａ…内壁面、２２…内部空間、２１…蓋体、２３…蓋体ネジ柱（短筒状螺合部）、２４…第１係止リブ、２５、２５Ｂ…第２係止リブ、３１…穴あきアンテナ基板、３２…開口部、３３…突片、３４…照明具、３５…アンテナ、３６…電源装置、４１、４１Ａ、４１Ｂ…装置本体基板、４２…被係合部分、４３…通信手段、４４…振動手段。
【図１】
2011111867.tif 000003
【図２】
2011111867.tif 000004
【図３】
2011111867.tif 000005
【図４】
2011111867.tif 000006
【図５】
2011111867.tif 000007
【図６】
2011111867.tif 000008
【図７】
2011111867.tif 000009
【図８】
2011111867.tif 000010
【図９】
2011111867.tif 000011
【図１０】
2011111867.tif 000012
【図１１】
2011111867.tif 000013
【図１２】
2011111867.tif 000014
【図１３】
2011111867.tif 000015
【図１４】
2011111867.tif 000016
【図１５】
2011111867.tif 000017
【図１６】
2011111867.tif 000018